(57)【要約】【課題】バーコード等の光学的識別符号については確実に発熱体の断線検査を行うことができ、必要に応じて断線検査の頻度を下げることができ、使用条件に適した断線検査を行うことができるサーマルプリンタを提供する。【解決手段】サーマルプリンタ１０は、用紙１をプラテンローラ１２と、プラテンローラ１２によって搬送されてきた用紙１の印字領域１ａに印字データを印字する複数の発熱体を有するサーマルヘッド１１と、発熱体の断線の有無を検査する検査部として、及び、検査部としての動作を制御する制御部として機能するＣＰＵ２０とを備え、ＣＰＵ２０は、検査の頻度を変更可能であることを特徴とする。【選択図】図４
2015054474.tif 000002
【特許請求の範囲】
【請求項１】
被印字媒体を搬送する搬送部と、
前記搬送部によって搬送されてきた前記被印字媒体の印字領域に印字データを印字する複数の発熱体を有するサーマルヘッドと、
前記発熱体の断線の有無を検査する検査部と、
前記検査部の動作を制御する制御部と、
を備え、
前記制御部は、前記検査部が行う検査の頻度を変更可能であること、
を特徴とするサーマルプリンタ。
【請求項２】
請求項１に記載のサーマルプリンタにおいて、
前記制御部は、前記検査を行う頻度の入力を受け付け、入力された検査の頻度にしたがい、検査を行うこと、
を特徴とするサーマルプリンタ。
【請求項３】
請求項１に記載のサーマルプリンタにおいて、
前記制御部は、印字データの内容に応じて、自動的に検査の頻度を変更すること、
を特徴とするサーマルプリンタ。
【請求項４】
請求項３に記載のサーマルプリンタにおいて、
前記制御部は、印字データ中に光学的識別符号が含まれている場合には、印字データ中に光学的識別符号が含まれていない場合よりも検査の頻度を多くすること、
を特徴とするサーマルプリンタ。
【請求項５】
請求項３に記載のサーマルプリンタにおいて、
前記制御部は、印字データ中に光学的識別符号が含まれていない場合には、印字データ中に光学的識別符号が含まれている場合よりも検査の頻度を少なくすること、
を特徴とするサーマルプリンタ。
【請求項６】
請求項１に記載のサーマルプリンタにおいて、
外部と通信を行う通信部を有し、
前記制御部は、前記通信部を介した外部からの指示にしたがい、検査の頻度を変更すること、
を特徴とするサーマルプリンタ。
【請求項７】
請求項１から請求項６までのいずれか１項に記載のサーマルプリンタにおいて、
前記制御部は、前記搬送部が前記被印字媒体の搬送中であって、前記サーマルヘッドが印字を行わない状態にあるときに、前記検査部に検査を行わせること、
を特徴とするサーマルプリンタ。
【発明の詳細な説明】
【技術分野】
【０００１】
本発明は、サーマルヘッドを用いて印字を行うサーマルプリンタに関するものである。
【背景技術】
【０００２】
従来のラベルプリンタは、用紙（被印字媒体）の搬送時に、用紙とサーマルヘッドとの間の摩擦等の影響により、サーマルヘッドを構成する発熱体が断線することがあった。この発熱体の断線により、断線した発熱体の部分だけ印字がされなくなり、印字かすれが発生してしまう。特に、サーマルヘッドの発熱体のうち、バーコードを印字する印字領域に対応する部分の発熱体のいずれか１つでも断線すると、印字されたバーコードをスキャナで読み取るときに、読み取りが不可能となる場合がある。
【０００３】
発熱体の断線の有無のチェック（検査）は、例えば、特許文献１に記載されているように、各発熱体に並列に検出抵抗を設け、その一方の端部に接続されたチェック端子の電圧を測定することによって行う。発熱体に微少な電流を流したとき、発熱体に断線がない場合、通電電流のほとんどが発熱体を流れるため、チェック端子の電圧値は低い値となる。一方、発熱体に断線がある場合、通電電流のほとんどが検出抵抗を流れるため、チェック端子の電圧値は高い値となる。このように、診断する発熱体を１個ずつ通電状態とし、チェック端子を介して電圧チェックを行うことにより、発熱体の断線の診断が行われる。
【０００４】
また、発熱体の断線を診断する処理は、サーマルヘッドが印字処理を行っていない期間、すなわち、サーマルヘッドの発熱体がラベルとラベルの間のギャップの部分に接している期間に行われる。
【先行技術文献】
【特許文献】
【０００５】
【特許文献１】特開２００１−３８９４３号公報
【発明の概要】
【発明が解決しようとする課題】
【０００６】
しかし、用紙を搬送しながらヘッドチェックを行っているので、近年、サーマルヘッドが大型化するにつれて、ヘッドチェックに要する時間が長くなり、サーマルヘッドの直下にギャップがある間にヘッドチェックを完了することができなくなってきている。すなわち、サーマルヘッドを構成する全ての発熱体の断線チェックを、発熱体がラベルとラベルの間のギャップの部分に接している期間に行うことができない場合がある。このため、従来は、ヘッドチェック時に用紙の搬送速度を落とし、ヘッドチェックを行っている間は、サーマルヘッドの位置がギャップ内にあるようにしている。しかし、この場合、単位時間当たりの発行枚数（印字枚数）が減少してしまうという問題がある。さらに、搬送速度を、印字処理時は速く、ヘッドチェック時は遅くというように、周期的に変化させなければならず、搬送モータに多大な負荷がかかるという問題がある。
【０００７】
また、従来、ヘッドチェックの有効か無効かの選択が可能であった。したがって、ヘッドチェックを無効とすれば、効率よく印字を行えた。しかし、その場合には、発熱体が断線したまま印字を行ってしまい、バーコードの読み取りエラーが生じてしまうおそれがあった。
【０００８】
本発明の課題は、バーコード等の光学的識別符号については確実に発熱体の断線検査を行うことができ、必要に応じて断線検査の頻度を下げることができ、使用条件に適した断線検査を行うことができるサーマルプリンタを提供することである。
【課題を解決するための手段】
【０００９】
本発明は、以下のような解決手段により、前記課題を解決する。
【００１０】
請求項１の発明は、被印字媒体を搬送する搬送部と、前記搬送部によって搬送されてきた前記被印字媒体の印字領域に印字データを印字する複数の発熱体を有するサーマルヘッドと、前記発熱体の断線の有無を検査する検査部と、前記検査部の動作を制御する制御部と、を備え、前記制御部は、前記検査部が行う検査の頻度を変更可能であること、を特徴とするサーマルプリンタである。
【００１１】
請求項２の発明は、請求項１に記載のサーマルプリンタにおいて、前記制御部は、前記検査を行う頻度の入力を受け付け、入力された検査の頻度にしたがい、検査を行うこと、を特徴とするサーマルプリンタである。
【００１２】
請求項３の発明は、請求項１に記載のサーマルプリンタにおいて、前記制御部は、印字データの内容に応じて、自動的に検査の頻度を変更すること、を特徴とするサーマルプリンタである。
【００１３】
請求項４の発明は、請求項３に記載のサーマルプリンタにおいて、前記制御部は、印字データ中に光学的識別符号が含まれている場合には、印字データ中に光学的識別符号が含まれていない場合よりも検査の頻度を多くすること、を特徴とするサーマルプリンタである。
【００１４】
請求項５の発明は、請求項３に記載のサーマルプリンタにおいて、前記制御部は、印字データ中に光学的識別符号が含まれていない場合には、印字データ中に光学的識別符号が含まれている場合よりも検査の頻度を少なくすること、を特徴とするサーマルプリンタである。
【００１５】
請求項６の発明は、請求項１に記載のサーマルプリンタにおいて、外部と通信を行う通信部を有し、前記制御部は、前記通信部を介した外部からの指示にしたがい、検査の頻度を変更すること、を特徴とするサーマルプリンタである。
【００１６】
請求項７の発明は、請求項１から請求項６までのいずれか１項に記載のサーマルプリンタにおいて、前記制御部は、前記搬送部が前記被印字媒体の搬送中であって、前記サーマルヘッドが印字を行わない状態にあるときに、前記検査部に検査を行わせること、を特徴とするサーマルプリンタである。
【発明の効果】
【００１７】
本発明によれば、サーマルプリンタは、バーコード等の光学的識別符号については確実に発熱体の断線検査を行うことができ、必要に応じて断線検査の頻度を下げることができ、使用条件に適した断線検査を行うことができる。
【図面の簡単な説明】
【００１８】
【図１】本発明によるサーマルプリンタ１０の第１実施形態の概要を示す図である。
【図２】印字後の用紙１を模式的に示した図である。
【図３】サーマルプリンタ１０の回路構成を示す概略ブロック図である。
【図４】第１実施形態のサーマルプリンタ１０の発熱体の断線の検査に関する動作の流れを示すフローチャートである。
【図５】第２実施形態のサーマルプリンタ１０の発熱体の断線の検査に関する動作の流れを示すフローチャートである。
【図６】第３実施形態のサーマルプリンタ１０の発熱体の断線の検査に関する動作の流れを示すフローチャートである。
【図７】第４実施形態において印字後の用紙１を模式的に示した図である。
【発明を実施するための形態】
【００１９】
以下、本発明を実施するための最良の形態について図面等を参照して説明する。
【００２０】
（第１実施形態）
図１は、本発明によるサーマルプリンタ１０の第１実施形態の概要を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２１】
サーマルプリンタ１０は、サーマルヘッド１１と、プラテンローラ１２と、ラベル供給部１３と、リボン供給部１４と、リボン巻き取り部１５と、センサ１６とを備えたラベルプリンタである。
【００２２】
サーマルヘッド１１は、複数の発熱体を幅方向に多数並べて有しており、プラテンローラ１２に対向するように配置されている。この発熱体がプラテンローラ１２との間で後述する用紙１を挟持した状態で用紙１に当て付けられることとなる。また、サーマルヘッド１１は、プラテンローラ１２の向きに加圧されている。サーマルヘッド１１は、発熱体を選択的に発熱させることにより、用紙１にインクリボンＲからインクを転写させて印字を行う。また、サーマルヘッド１１は、感熱用紙に対して印字を行うこともできる。
【００２３】
プラテンローラ（搬送部）１２は、不図示のタイミングベルトを介して搬送モータ２６（図３参照）に接続されている。プラテンローラ１２は、搬送モータ２６の駆動により、回転駆動する。
【００２４】
ラベル供給部１３は、ロール状に巻かれた用紙１が装填され、用紙１をサーマルヘッド１１とプラテンローラ１２との間へ繰り出す。
【００２５】
リボン供給部１４は、用紙１上のラベル３（図２参照）に熱転写により印字を行うためのインクリボンＲを、サーマルヘッド１１とプラテンローラ１２との間に供給する。
【００２６】
リボン巻き取り部１５は、使用済のインクリボンＲをサーマルヘッド１１とプラテンローラ１２との間から回収し、巻き取る。
【００２７】
センサ１６は、用紙１の搬送路途中に配置された光センサであり、ラベル３の先端を検知する。
【００２８】
図２は、印字後の用紙１を模式的に示した図である。図２（ａ）は、文字のみを印字した例を示し、図２（ｂ）は、文字と二次元コードとを印字した例を示している。
用紙（被印字媒体）１は、台紙２と、ラベル３とを有している。なお、用紙１は、紙を素材とするものに限らず、樹脂素材をその一部又は全部に用いてもよい。
台紙２は、帯状に形成されており、その一方の面に剥離面が形成されている。
ラベル３は、台紙２の剥離面上に不図示の粘着剤層を介して仮着されている。
【００２９】
図３は、サーマルプリンタ１０の回路構成を示す概略ブロック図である。
サーマルプリンタ１０は、ＣＰＵ２０と、不揮発性メモリ２１と、ＥＥＰＲＯＭ２２と、ＲＡＭ２３と、外部インタフェース２５と、搬送モータ２６と、搬送モータ制御部２７と、操作部２８と、操作制御部２９と、ヘッド制御部３０と、センサ制御部３１と、描画展開部３３と、システムバス３４とを備えている。
【００３０】
ＣＰＵ(central processing unit)２０は、不揮発性メモリ２１に記憶されている各種制御プログラムにしたがって動作し、システムバス３４を介して以下に示す各部を統括して制御する。本実施形態では、ＣＰＵ２０は、サーマルヘッド１１の発熱体の断線の有無を検査する検査部としての機能と、検査部の動作を制御する制御部としての機能を有する。
【００３１】
不揮発性メモリ２１は、各種制御部のプログラムを格納するＲＯＭ(read only memory)やフラッシュメモリ等により構成されている。
ＥＥＰＲＯＭ(electrically erasable programmable read-only memory)２２は、不揮発性で書き換え可能なメモリであってサーマルプリンタ１０の各種動作の設定を保持する。
ＲＡＭ(random access memory)２３は、ＣＰＵ２０の作業領域として使用される。
外部インタフェース（外部Ｉ／Ｆ）２５は、ホスト２４と有線又は無線により通信を行うためのインタフェースである。
【００３２】
搬送モータ２６は、プラテンローラ１２を駆動して用紙１を搬送するステッピングモータ等の電動機である。
搬送モータ制御部２７は、搬送モータ２６の制御を行う。搬送モータ制御部２７は、搬送モータ２６の回転速度を制御することにより、ラベル３が仮着された台紙２の搬送速度を制御する。また、搬送モータ制御部２７は、搬送モータ２６を正回転させ、台紙２をラベル搬送方向で上流から下流へ搬送するか、又は、搬送モータ２６を逆回転させ、台紙２をラベル搬送方向とは逆方向の下流から上流へ搬送するかを制御する。
【００３３】
操作部２８は、サーマルプリンタ１０の動作に関する情報の設定入力に用いられる各種釦と表示部とを有している。
操作制御部２９は、操作部２８を制御する。
ヘッド制御部３０は、サーマルヘッド１１を制御する。
センサ制御部３１は、センサ１６の制御を行う。
描画展開部３３は、ラベル３の表面に可変情報を印字するための描画を生成する。
【００３４】
図４は、第１実施形態のサーマルプリンタ１０の発熱体の断線の検査に関する動作の流れを示すフローチャートである。
【００３５】
ステップ（以下、Ｓ）１００では、ＣＰＵ２０は、操作部２８を介して、利用者から発熱体の断線の検査について、その頻度の入力を受け付ける。入力される頻度は、例えば、検査間隔＝２枚と入力されると、ラベル３を２枚印字する度に１回のチェックを行う。また、印字指定枚数以上の検査間隔が入力された場合には、最初の１枚目と最後のみ、断線の検査を行う。なお、検査間隔の入力がされない場合には、毎回、断線の検査を行うように設定される。
利用者は、印字品質と印字速度とのバランスを考慮して、検査頻度を適宜変更して入力するとよい。例えば、図２（ａ）のように文字のみを印字する場合には、印字速度を優先して、検査間隔を大きくするとよい。一方、図２（ｂ）のように、二次元コードやバーコード等の光学的識別符号が含まれている場合には、印字品質を優先して、毎回断線の検査を行うようにするとよい。
【００３６】
Ｓ１１０では、ＣＰＵ２０は、例えば、ホスト２４から印字データの入力を受け付ける。なお、本実施形態のサーマルプリンタ１０では、ホスト２４が接続されていない場合でも、印字が可能である。その場合には、ＥＥＰＲＯＭ２２等に記憶されている印字フォーマットを呼び出す等の処理により、印字データの入力が行われる。
【００３７】
Ｓ１２０では、ＣＰＵ２０は、搬送モータ制御部２７に指示を出し、プラテンローラの駆動を開始し、用紙１の搬送を開始する。
【００３８】
Ｓ１３０では、ＣＰＵ２０は、検査を実施するか否かの判断を行う。この判断は、Ｓ１００において入力された検査頻度にしたがって判断される。検査を実施する場合には、Ｓ１４０へ進み、検査を実施しない場合には、Ｓ１５０へ進む。
【００３９】
Ｓ１４０では、ＣＰＵ２０は、発熱体の断線の検査を実施する。具体的な検査の方法は、従来から公知の手法により行う。本実施形態では、各発熱体に並列に検出抵抗を設け、その一方の端部に接続されたチェック端子の電圧を測定することによって行う。発熱体に微少な電流を流したとき、発熱体に断線がない場合、通電電流のほとんどが発熱体を流れるため、チェック端子の電圧値は低い値となる。一方、発熱体に断線がある場合、通電電流のほとんどが検出抵抗を流れるため、チェック端子の電圧値は高い値となる。このように、診断する発熱体を１個ずつ通電状態とし、チェック端子を介して電圧チェックを行うことにより、発熱体の断線の診断が行われる。なお、検査を実施するときには、用紙１の搬送は、一時的に停止する。
【００４０】
Ｓ１５０では、１枚のラベル３に印字データの印字を行う。
【００４１】
Ｓ１６０では、指定された所定枚数の印字を終えたか否かの判断を行う。印字を終えている場合には、動作を終了する。まだ所定枚数の印字を終えていない場合には、Ｓ１３０へ戻り、検査を実施するか否かの判断を繰り返す。
【００４２】
以上説明したように、第１実施形態によれば、発熱体の断線の検査を行う頻度を利用者が自由に設定可能であるので、過剰な検査を行わないような設定とすることにより、印字内容に適した検査頻度で断線の検査を行うことができる。よって、第１実施形態のサーマルプリンタ１０は、効率よく印字と検査とを行うことができ、全体としての印字処理速度が向上できる。そして、サーマルプリンタ１０は、バーコード等の光学的識別符号については確実に発熱体の断線検査を行うことができ、必要に応じて断線検査の頻度を下げることができ、使用条件に適した断線検査を行うことができる。
【００４３】
（第２実施形態）
図５は、第２実施形態のサーマルプリンタ１０の発熱体の断線の検査に関する動作の流れを示すフローチャートである。
第２実施形態のサーマルプリンタ１０は、ＣＰＵ２０の動作が第１実施形態の場合と異なる他は、第１実施形態と同様な形態をしている。よって、前述した第１実施形態と同様の機能を果たす部分には、同一の符号を付して、重複する説明を適宜省略する。
【００４４】
Ｓ２００では、ＣＰＵ２０は、例えば、ホスト２４から印字データの入力を受け付ける。
【００４５】
Ｓ２１０では、ＣＰＵ２０は、印字データの内容を解析して、印字データの内容に応じて、自動的に検査の頻度を変更する。
例えば、印字データ中に光学的識別符号が含まれていない場合の検査頻度を５枚と設定しておき、印字データ中に光学的識別符号が含まれている場合には、ＣＰＵ２０は、検査頻度を毎回に変更するといったように、印字データ中に光学的識別符号が含まれていない場合よりも検査の頻度を多くする。
なお、これとは逆に、印字データ中に光学的識別符号が含まれている場合を基準としてもよい。すなわち、印字データ中に光学的識別符号が含まれていない場合には、ＣＰＵ２０は、印字データ中に光学的識別符号が含まれている場合よりも検査の頻度を少なくしてもよい。
【００４６】
Ｓ２２０からＳ２６０は、第１実施形態のＳ１２０からＳ１６０と同様であるので、詳細な説明は省略する。
【００４７】
以上説明したように、第２実施形態によれば、ＣＰＵ２０は、印字データの内容に応じて、自動的に検査の頻度を変更する。よって、利用者が検査頻度の入力を行わなくとも、自動的に最適な検査頻度の設定が行われる。これにより、第２実施形態のサーマルプリンタ１０は、利用者に特別な操作やスキルを要求することなく、効率よく印字と検査とを行うことができ、全体としての印字処理速度を自動的に向上できる。そして、サーマルプリンタ１０は、バーコード等の光学的識別符号については確実に発熱体の断線検査を行うことができ、必要に応じて断線検査の頻度を下げることができ、使用条件に適した断線検査を行うことができる。
【００４８】
（第３実施形態）
図６は、第３実施形態のサーマルプリンタ１０の発熱体の断線の検査に関する動作の流れを示すフローチャートである。
第３実施形態のサーマルプリンタ１０は、ＣＰＵ２０の動作が第１実施形態の場合と異なる他は、第１実施形態と同様な形態をしている。よって、前述した第１実施形態と同様の機能を果たす部分には、同一の符号を付して、重複する説明を適宜省略する。
【００４９】
Ｓ３００では、ＣＰＵ２０は、ホスト２４（例えば、パーソナルコンピュータ）から検査の頻度の入力を受け付ける。すなわち、第３実施形態では、発熱体の断線の検査を行う頻度については、ホスト２４側であらかじめ利用者によって入力、又は、印字データに応じて自動的に設定されている。サーマルプリンタ１０は、小型化のため、及び、低コスト化のために、操作部２８が簡素化されている場合がある。そのような場合であっても、ホスト２４を利用して、より簡単に頻度の設定を行うことができる。また、ホスト２４から印字データを入力（後述のＳ３１０）するので、印字データに基づいて自動的に検査の頻度の設定を行うことも容易に行える。
【００５０】
Ｓ３１０では、ＣＰＵ２０は、ホスト２４から印字データの入力を受け付ける。
【００５１】
Ｓ３２０からＳ３６０は、第１実施形態のＳ１２０からＳ１６０と同様であるので、詳細な説明は省略する。
【００５２】
以上説明したように、第３実施形態によれば、ＣＰＵ２０は、ホスト２４から検査の頻度の入力を受け付ける。よって、サーマルプリンタ１０の操作部２８が簡素な構成であったとしても、利用者は、ホスト２４を利用して簡単に検査の頻度を設定できる。また、ホスト２４側で自動的に検査の頻度を設定することも可能である。よって、第３実施形態のサーマルプリンタ１０は、操作部２８が簡素な構成であったとしても、効率よく印字と検査とを行うことができ、全体としての印字処理速度を自動的に向上できる。そして、サーマルプリンタ１０は、バーコード等の光学的識別符号については確実に発熱体の断線検査を行うことができ、必要に応じて断線検査の頻度を下げることができ、使用条件に適した断線検査を行うことができる。
【００５３】
（第４実施形態）
図７は、第４実施形態において印字後の用紙１を模式的に示した図である。
第４実施形態のサーマルプリンタ１０は、ＣＰＵ２０が行う検査動作が第１実施形態の場合と異なる他は、第１実施形態と同様な形態をしている。よって、前述した第１実施形態と同様の機能を果たす部分には、同一の符号を付して、重複する説明を適宜省略する。
【００５４】
第４実施形態のＣＰＵ２０は、設定された検査の頻度に応じて検査を実施するが、検査を行うタイミングを、サーマルヘッド１１が非印字領域と対向している間に、用紙１を搬送しながら行う。
【００５５】
図７中に示した印字領域１ａにサーマルヘッド１１が対向しているときには、当然ながら、印字処理が行われているので、検査を実施することはできない。しかし、用紙１の搬送中であっても、非印字領域１ｂにサーマルヘッド１１が対向しているときには、発熱体の断線の検査が可能である。よって、第４実施形態では、ＣＰＵ２０は、サーマルヘッド１１が非印字領域と対向している間に、用紙１を搬送しながら行う。
【００５６】
なお、非印字領域の広さにもよるが、検査が非印字領域中で終了できない場合もある。その場合には、例えば、検査を継続しながら搬送を一時停止させるようにしてもよい。
【００５７】
以上説明したように、第４実施形態によれば、搬送中に断線の検査の全部、又は、一部を行える。よって、第４実施形態のサーマルプリンタ１０は、効率よく印字と検査とを行うことができ、全体としての印字処理速度が向上できる。そして、サーマルプリンタ１０は、バーコード等の光学的識別符号については確実に発熱体の断線検査を行うことができ、必要に応じて断線検査の頻度を下げることができ、使用条件に適した断線検査を行うことができる。
【００５８】
なお、本明細書及び請求項中においては、当業者の通常の用法として、サーマルプリンタによる各種情報の出力を「印字」と記載している。しかし、「印字」との記載は、上述したように、サーマルプリンタによる情報の出力を指すものであり、文字の出力に限らず、バーコード等の図形や画像等の出力も含む広義の意味であるものとする。
【００５９】
（変形形態）
以上説明した実施形態に限定されることなく、種々の変形や変更が可能であって、それらも本発明の範囲内である。
【００６０】
第４実施形態において、第１実施形態で説明した検査頻度の設定方法に加えて、搬送中に断線の検査を行うこととして説明した。これに限らず、例えば、第２実施形態、又は、第３実施形態に示した検査頻度の設定方法に加えて、搬送中に断線の検査を行うような構成としてもよい。
【００６１】
なお、第１実施形態から第４実施形態及び変形形態は、適宜組み合わせて用いることもできるが、詳細な説明は省略する。また、本発明は以上説明した各実施形態によって限定されることはない。
【符号の説明】
【００６２】
１    用紙
１ａ  印字領域
１ｂ  非印字領域
２    台紙
３    ラベル
５    検査頻度
１０  サーマルプリンタ
１１  サーマルヘッド
１２  プラテンローラ
１３  ラベル供給部
１４  リボン供給部
１５  リボン巻き取り部
１６  センサ
２０  ＣＰＵ
２１  不揮発性メモリ
２２  ＲＯＭ
２３  ＲＡＭ
２４  ホスト
２５  外部インタフェース
２６  搬送モータ
２７  搬送モータ制御部
２８  操作部
２９  操作制御部
３０  ヘッド制御部
３１  センサ制御部
３３  描画展開部
３４  システムバス
【図１】
2015054474.tif 000003
【図２】
2015054474.tif 000004
【図３】
2015054474.tif 000005
【図４】
2015054474.tif 000006
【図５】
2015054474.tif 000007
【図６】
2015054474.tif 000008
【図７】
2015054474.tif 000009